(57)【要約】  【課題】  センサライトに内蔵される人体検知センサ以外の外部センサによりセンサライトの作動を可能にして、センサライトが本来有する機能である照明と警報とを有効に生かせるようにし、多用途化を図れるセンサライトを提供する。    【解決手段】  照明具２および警報音を発生する警報器６と人体を検知するための人体検知センサ３とをそれぞれ備えるとともに、人体検知センサ３からの検知信号により作動し、照明具２を点灯させたり、警報器６により警報音を発生させたりする制御部１００を備えたセンサライトにおいて、人体検知センサ３とは別の外部センサ１１による入力回路１２を設け、この外部センサ入力回路１２は外部センサ１１の出力の変化を制御部１００に入力し、制御部１００は入力された出力の変化があらかじめ設定された変化率を超えているときに異常と判断するとともに、照明具２を点灯させるかまたは警報器６により警報音を発生させる構成としている。【選択図】      図２
2009076252.tif 000002
【特許請求の範囲】
【請求項１】
ハロゲンランプなどの照明具および警報音を発生する警報器と人体を検知するための人体検知センサとをそれぞれ備えるとともに、前記人体検知センサからの検知信号により作動し、前記照明具を点灯させたり、前記警報器により警報音を発生させたりする制御部を備えたセンサライトにおいて、
前記人体検知センサとは別のセンサである、外部センサによる入力回路を設け、この外部センサ入力回路は前記外部センサの出力の変化を前記制御部に入力し、前記制御部は入力された出力の変化があらかじめ設定された変化率を超えているときに異常と判断するとともに、少なくとも前記照明具を点灯させるかまたは前記警報器により警報音を発生させる構成からなることを特徴とするセンサライト。
【請求項２】
前記外部センサが人体検知センサであり、前記センサライトに備えられた人体検知センサによる検知範囲の外方で人体を検知可能に設置されることを特徴とする請求項１記載のセンサライト。
【請求項３】
前記外部センサがノーマルオープン型およびノーマルクローズ型のいずれの場合にも、同外部センサによる検知信号の出力に対応する制御部を備えたことを特徴とする請求項１記載のセンサライト。
【請求項４】
前記警報器と共通の出力型式からなる外部警報器を前記センサライトに接続し、屋内や隣家など他の場所に設置することを特徴とする請求項１記載のセンサライト。
【請求項５】
前記外部センサからの検知信号の入力および外部警報器への警報信号の出力について、それぞれのON-OFF制御を前記センサライト側で直接手動または遠隔操作で行えるようにしたことを特徴とする請求項１または４記載のセンサライト。
【請求項６】
前記外部センサと前記センサライトとの接続を無線方式とし、外部センサからの検知信号受信部をセンサライトに設けたことを特徴とする請求項１〜３のいずれか記載のセンサライト。
【発明の詳細な説明】
【技術分野】
【０００１】
本発明は、人体検知センサが人体を検知すると、照明具を点灯させたり、警報音を発生させたりするセンサライトに関するもので、詳しくは外部センサとの接続を可能にするセンサライトに関する。
【背景技術】
【０００２】
この種のセンサライトは、人体を検知するための人体検知センサを本体に備えており、その人体検知センサの検知エリア内に不審者等が侵入すると、これを検知してランプなどの照明具を点灯し、また警報器にて警報音を発生したりするというのが一般的である（例えば、特許文献１参照）。
【０００３】
図３は従来のセンサライトにおける電気的回路構成の一例を示すブロック概念図で、同図に示すように、ハロゲンランプ１０１等の照明具、警報音を発生するためのスピーカ１０２を備えている。センサライト本体内には、ハロゲンランプ１０１の点灯・消灯やスピーカ１０２からの警報音の発生・停止を制御するためのマイコン（マイクロコンピュータ）１００を備えている。そのほか、周辺の照度を検出する照度センサ１０３を、同照度センサ１０３による信号を所定の増幅率で増幅し、アナログ信号をデジタル信号に変換する増幅器１０４を介してマイコン１００に接続して入力し、同様に人体を所定のエリア内で検知する人体検知センサ１０５を、同人体検知センサ１０５による信号を所定の増幅率で増幅し、アナログ信号をデジタル信号に変換する増幅器１０６を介してマイコン１００に接続して入力する。マイコン１００からはランプ駆動回路１０７を介してハロゲンランプ１０１に、また増幅器１０８を介してスピーカ１０２に出力される。ランプ１０１の点灯する照度（例えば夜間のみ点灯）を調整するための照度調整装置１０９、およびランプ１０１の点灯時間（例えば１０秒〜１８０秒）を調整するための点灯時間調整装置１１０がそれぞれマイコン１００に接続されており、昼間の明るいときはハロゲンランプ１０１の点灯を禁止している。
【特許文献１】特開平１０−１７２７７０号公報
【発明の開示】
【発明が解決しようとする課題】
【０００４】
従来のセンサライトでは、以下のような点で改良すべき余地がある。すなわち、この種のセンサライトは、本体に備えられた人体検知センサ(通常、赤外線式センサ）の検知可能なエリア内に使用者や不審者が侵入した際に、照明具（ライト）を点灯したり警報音を発生したりするのに使用されている。つまり、一般に車庫や庭先などの限定されたエリア内での侵入者(使用者を含む）の検知や車両の検知などを目的として使用されている。したがって、例えば車庫と庭先あるいは玄関口のように複数の場所で侵入者を検知しようとすれば、それぞれの場所にセンサライトを設置しなければならなかった。
【０００５】
また、通常の火災報知器の場合には設置した室内であるキッチンや隣室などの限られたエリアでしか警報音を確認できない。さらに、室内に設置された非常ボタンが押された場合には、通常、室内に設置された警報音発生器（ベルやスピーカなど）の周辺でしか警報音を確認できない。
【０００６】
さらにまた、例えば使用者が夜間に玄関口や勝手口から外出するときに、足下の安全のためにセンサライトの照明具を点灯させたくても、センサライトの人体検知センサが検知可能な場所まで歩いて行かない限り、点灯しないため、照明具としては利用しにくかたった。また２灯式のセンサライトの場合、例えば照明（ライトを照射）する範囲を玄関口と勝手口などの２箇所にすることができるが、検知エリアはセンサライト本体に備えられた人体検知センサの検知可能な範囲に限定されるから、２灯式の機能を十分に生かせなかった。
【０００７】
すなわち、従来のセンサライトは、センサライト本体に内蔵された人体検知センサのみによる検知範囲内でしか、照明具を点灯したり警報音を鳴らしたりする動作を行えず、あくまで単独で機能する製品としての、自動点灯する照明器具および夜間の不審者に対し威嚇性を有する防犯用ライトの域を出なかった。このため、限定されたエリア内での異常事態の検出（不審者の侵入など）でのみ作動し、他のセンサとの融合や広範囲での不審者等の侵入の検知および同検知による作動は不可能であり、従来のセンサライトのもつ目的や用途に限定されていた。
【０００８】
本発明は上述の点に鑑みなされたもので、センサライトに内蔵される人体検知センサ以外のセンサ（以下、外部センサという）によりセンサライトの作動を可能にして、センサライトが本来有する機能である照明と警報とを有効に生かせるようにし、多用途化を図れるセンサライトを提供することを課題としている。
【課題を解決するための手段】
【０００９】
上記の課題を解決するために本発明に係るセンサライトは、ハロゲンランプなどの照明具および警報音を発生する警報器と人体を検知するための人体検知センサとをそれぞれ備えるとともに、前記人体検知センサからの検知信号により作動し、前記照明具を点灯させたり、前記警報器により警報音を発生させたりする制御部を備えたセンサライトにおいて、前記人体検知センサとは別のセンサである、外部センサによる入力回路を設け、この外部センサ入力回路は前記外部センサの出力（検知信号）の変化を前記制御部に入力し、前記制御部は入力された出力の変化があらかじめ設定された変化率を超えているときに異常と判断するとともに、少なくとも前記照明具を点灯させるかまたは前記警報器により警報音を発生させる構成からなることを特徴とする。ここで、「少なくとも前記照明具が点灯するかまたは前記警報器が警報音を発生するように」とは、例えばセンサライトに備えられた警報器だけでなく、請求項４に記載のように外部警報器を設けた場合に外部警報器からも警報音が鳴る場合を含むという意味である。
【００１０】
上記の構成を有する本発明のセンサライトによれば、本体が備えている人体検知センサによる検知信号により照明具を点灯したり警報音を発生したりするほか、外部センサがエリア内に侵入した人体を検知し、検知信号を発すると、同様にセンサライトの照明具が点灯したり警報音が鳴ったりする。外部センサは、本発明の場合には通常、センサライトに備えられたセンサの検知可能な範囲以外の場所に設置するので、センサライトの設置場所にとらわれず、広範囲のエリアで侵入者等を検知し、照明具を点灯させたり警報ＯＮを発生させたりできるようになる上、外部センサとして扉の開閉スイッチや火災感知器などを使用することにより、センサライトの本来有する照明および警報機能をより有効に活用でき、多用途化が図れる。
【００１１】
請求項２に記載のように、前記外部センサが人体検知センサであり、前記センサライトに備えられた人体検知センサによる検知範囲の外方で人体を検知可能に設置することができる。
【００１２】
このようにすれば、例えば外部センサを玄関口や勝手口に設置しておくことで、夜間に外出するための自動点灯式の照明具として利用できたり、また外部から玄関や勝手口から扉の鍵をこじ開けて侵入しようとする不審者を検知してセンサライトの警報音を鳴らして不審者を威嚇したり、室内の住人に不審者の存在を知らせたりすることができる。
【００１３】
請求項３に記載のように、前記外部センサの出力がノーマルオープン型およびノーマルクローズ型のいずれの場合にも、同外部センサによる検知信号の出力に対応する制御部を備えることが好ましい。
【００１４】
このようにすれば、外部センサの種類に制限を受けることがないので、あらゆる種類の外部センサの使用が可能になる。
【００１５】
請求項４に記載のように、前記警報器と共通の出力型式からなる外部警報器を前記センサライトに接続し、屋内や隣家など他の場所に設置することができる。
【００１６】
このようにすれば、センサライトに備えられた警報器の警報音発生装置を用いて外部警報器を作動し、警報音を鳴らすことができる。
【００１７】
請求項５に記載のように、前記外部センサからの検知信号の入力および外部警報器への警報信号の出力について、それぞれのON-OFF制御を前記センサライト側で直接手動または遠隔操作で行えるようにすることが望ましい。
【００１８】
このようにすれば、例えば、夜間にのみ外部センサからの検知信号でセンサライトの照明具を点灯させたり、昼間にのみ外部警報器から警報音を鳴らしたりするなど、使用者の都合に合わせて任意に設定できる。
【００１９】
請求項６に記載のように、前記外部センサと前記センサライトとの接続を無線方式とし、外部センサからの検知信号受信部をセンサライトに設けることができる。この場合、検知信号受信部はセンサライトに内蔵しても良く、センサライトの外部に取り付けても良い。
【００２０】
このようにすれば、センサライトと外部センサとの配線工事が不要になるほか、外部センサの設置位置を簡単に変更することができて非常に便利である。
【発明の効果】
【００２１】
本発明に係るセンサライトは上記の構成を備えるので、下記のような優れた効果を奏する。すなわち、
従来のセンサライトでは同センサライトが設置されている周辺の限定されたエリアにおける人体の検知でのみ、照明具が点灯したり警報音が鳴ったりするが、本発明のセンサライトによれば、同センサライトが設置されている周辺以外の広いエリアにおいて人体の検知が可能になる。例えば、住宅の出入口における扉の開閉を検知する外部センサを装着することにより、住人が夜間に外出する際に、屋外に出た瞬間にセンサライトの照明具が点灯し、センサライトの周辺を明るく照らしたりするので、つまずいたりせずに安全に屋外や車庫の周辺など目的の場所まで行くことができる。このように、本発明のセンサライトによれば、外部センサからの検知信号入力手段を備えたことで、侵入者等の検知範囲が大幅に拡がり、任意の場所での検知や種類の異なる他のセンサとの連携が可能となり、センサライトが本来有する機能（照明および警報）を有効に生かすことができる。
【発明を実施するための最良の形態】
【００２２】
以下に、本発明のセンサライトについて実施の形態を図面に基づいて説明する。
【００２３】
図１は本発明のセンサライトの主要構成を示す概念図、図２はセンサライトの一実施形態の電気的回路構成を示すブロック概念図である。
【００２４】
図１に示すように、本例のセンサライト１は、本体１ａの上端に照明具としてのハロゲンランプ２（１０１）を備え、下端に人体を検知するための人体検知センサ３（１０５）を備えている。また、センサライト１の周辺の照度を検出する照度センサ４（１０３）を備えるとともに、交流電源を使用するための電源コード５を備えている。さらに、本体１ａには、警報器６を内蔵している。この警報器６は、従来のスピーカ１０２および増幅器１０８のほか、後述するマイク１８、音声録音・再生回路１９および音声合成メッセージROM２０などから構成される。また、センサライト１には、人体検知センサ３以外のセンサ（以下、外部センサという）１１から出力する検知信号の変化を、制御部としてのマイコン１００に入力し、外部センサ入力回路１２（図２参照）を本体１ａ内に備えており、マイコン１００は入力された検知信号の変化があらかじめ設定された変化率を超えているときに異常と判断し、ハロゲンランプ２を点灯したり警報器６を作動して警報音を発生したりする。なお、マイコン１００は、センサライト１に必要な機能を奏するように中央処理装置（ＣＰＵ）に制御プログラムを読み込んだ機能実行装置として構成される。
【００２５】
外部センサ１１は、本体１ａ内のマイコン１００に電線１３により外部センサ入力回路１２を介して接続され、検知信号の変化を出力する各種有線式外部センサ１１Ａと、本体１ａに内蔵する受信機（図示せず）により外部センサ入力回路１２を介して接続され、検知信号の変化を出力する各種無線式外部センサ１１Ｂと、センサライト１の外部に取り付けられ、電線１３および外付けの受信機１４により外部センサ入力回路１２を介して接続され、検知信号の変化を出力する各種無線式外部センサ１１Ｃとの３種類のセンサを使用できる。したがって、実施に際してはこれらの外部センサ１１Ａ〜１１Ｃのうちから選択して使用されるが、３種類の全てを同時に使用することもできる。また、各外部センサ１１Ａ〜１１Ｃによる出力型式は、無電圧リレー接点等のメカニカルスイッチまたはオープンコレクター等の半導体スイッチにしている。なお、外部センサ１１には、センサライト１側の人体検知センサ３（１０５）に比べてより検知精度の高いセンサを用いることができる。人体検知センサ３（１０５）は、赤外線方式の温度差で人体を検知するものが使用されているので、例えば雨の日には外面が雨で濡れた状態の自動車を検知しにくい。また、外部センサ１１の型式はパッシブ型であってもアクティブ型あってもよい。さらに、外部センサ１１には、扉の開閉スイッチや火災感知器（熱感知あるいは煙感知）あるいは緊急押しボタン（非常ベル）などを使用することができる。
【００２６】
次に、上記の構成を備えた本例のセンサライトの電気的な回路構成を図２を参照して説明する。上記した従来例について図３に示した電気的回路構成については共通するので、共通の構成部材については、同一の符号を用いて図２に示し、説明を省略する。
【００２７】
図２に示すように、制御部であるマイコン１００に外部センサ入力回路１２が接続されており、上記の外部センサ１１（１１Ａ・１１Ｂ・１１Ｃ）から出力される検知信号の変化がマイコン１００に入力される。この外部センサ入力回路１２に関連して、外部センサ入力回路１２を経由してマイコン１００に入力される信号をON-OFFするための外部センサ入力ON-OFFスイッチ１５がマイコン１００に接続されている。また、この外部センサ入力ON-OFFスイッチ１５による外部センサ入力操作とは別に、外部センサ１１からの検知信号をマイコン１００に入力可能な状態に時限的に制御するための、外部センサ入力のタイマー予約装置（タイマーカウンタ内蔵）１６がマイコン１００に接続されている。このタイマー予約装置１６では、１日のうちの一定時間だけタイマー（図示せず）によって自動的にON状態あるいはOFF状態に制御できる。ただし、本例では外部センサ入力ON-OFFスイッチ１５によるON-OFF制御を優先させているが、逆にすることもできる。さらに、複数の外部センサ１１（１１Ａ・１１Ｂ・１１Ｃ）を使用する際に、外部センサ１１（１１Ａ・１１Ｂ・１１Ｃ）ごとに対応して警報音の音色（ブザー音・チャイム音・メロディー音）を変更可能な警報音音色選択スイッチ１７が、マイコン１００に接続されている。
【００２８】
さらに、本例のセンサライト１はマイク１８を備えており、このマイク１８から使用者の声でメッセージ（例えば、火事だ〜）を、音声録音・再生回路１９を介してマイコン１００内のRAM（図示せず）に記憶（録音）させて、警報音の代わりに使用できるようにしている。また、あらかじめメッセージを記憶させた音声合成メッセージROM２０をマイコン１００に接続し、同様に警報音の代わりに使用できるようにもしている。そして、外部センサ１１（１１Ａ・１１Ｂ・１１Ｃ）ごとに音声合成メッセージROM２０またはRAMのメッセージを選択し、警報音の代わりに使用するための、メッセージ録音選択スイッチ２１がマイコン１００に接続されている。そのほか、ハロゲンランプ１０１の連続点灯に代えてフラシングさせるとともに、フラシングの間隔を調整する装置２２がマイコン１００に接続されている。
【００２９】
以上のようにして本実施形態に係るセンサライト１が構成されるが、このセンサライト１について使用態様を説明する。
【００３０】
ここでは、車庫付きの一戸建ての家屋を例に挙げる。門から入ってすぐの庭先にセンサライト１が設置してあり、このセンサライト１は門の入口付近から門に隣接する車庫の周辺にわたって照明するように、ハロゲンランプ２の向きを調整しているものとする。センサライト１の設置場所の、車庫と反対側に玄関が位置するものとする。無線式の外部センサ１１Ａを車庫の入口に取り付け、外部センサ１１Ａから出力される検知信号を受信する受信機をセンサライト本体１ａに内蔵し、自動車の出入りを検知できるようにする。また、玄関の扉に開閉スイッチ１１Ｂを取り付け、電線１３でセンサライト本体１ａの外部センサ入力回路１２に接続する。さらに、屋内の台所に煙感知器１１Ｃを取り付け、この煙感知器１１Ｃが煙を感知すると、警報音を発すると同時に、感知した旨の信号を発信する。この発信信号を受信する受信機１４を、電線１３で外部センサ入力回路１２に接続する。
【００３１】
この状態で、外部センサ入力ON-OFFスイッチ１５により、外部センサ入力回路１２を常時ONの状態にしておく。また、照度調整装置１０８により、夜間にだけハロゲンランプ１０１が点灯するように調整する。さらに、音声合成メッセージROM２０には、火災発生などのメッセージは含まれていないので、マイク１８により使用者が肉声で、例えば「火災発生」というメッセージをマイコン１００内のRAMに記憶させる。そして、メッセージ録音選択スイッチ２１により、煙感知器１１Ｃからの検知信号を受信したときに、RAMの「火災発生」というメッセージがスピーカ１０２から流れるように設定する。
【００３２】
このようにすることにより、従来の一般的なセンサライトと同様に、センサライト１に備えられた人体検知センサの検知可能なエリア内に使用者や不審者が侵入すると、ハロゲンランプ１０１が点灯（夜間のみ）したり、警報音が鳴ったりする。そのほか、車庫に自動車を入れようと、車庫の入口の外部センサ１１Ａが自動車の侵入を検知し、ハロゲンランプ１０１が点灯（夜間のみ）する。また、夜間に家人が玄関から外出する際に、扉を開放すると、開閉スイッチ１１ＢがONになり、外部センサ入力回路１２を介してマイコン１００に出力されるので、ハロゲンランプ２が点灯し、玄関の前方や門の周辺を照明する。一方、煙感知器１１Ｃが煙を感知すると、検知信号が外部センサ入力回路１２を介してマイコン１００に入力され、マイコン１００では非常事態と判断するので、センサライト１のスピーカ１０２から「火災発生」というメッセージによる警報が行われる。
【００３３】
上記に本発明のセンサライトについての一実施形態を示したが、下記のように実施することができる。
・センサライト１に内蔵の警報器と出力型式が共通する外部の警報器を、センサライト１から離れた場所、例えば屋内に設置することができる。
・外部センサ入力ON-OFFスイッチ１５は、センサライト本体１ａに設けて手動操作するほか、センサライト本体１ａから分離したリモコン方式にして遠隔操作できるようにしても良い。
【図面の簡単な説明】
【００３４】
【図１】本発明に係るセンサライトの主要構成を示す概念図である。
【図２】本発明に係るセンサライトの一実施形態の電気的回路構成を示すブロック概念図である。
【図３】従来の一般的なセンサライトの電気的回路構成を示すブロック概念図である。
【符号の説明】
【００３５】
１  センサライト
１ａ本体
２（１０２）ハロゲンランプ
３（１０５）人体検知センサ
４（１０３）照度センサ
５  電源コード
６  警報器
１１（１１Ａ〜１１Ｃ）外部センサ
１２  外部センサ入力回路
１３  電線
１４  受信機
１５  外部センサ入力ON-OFFスイッチ
１６  タイマー予約装置
１７  警報音音色選択スイッチ１７
１８  マイク
１９  音声録音・再生回路
２０  音声合成メッセージROM
１００マイコン
【図１】
2009076252.tif 000003
【図２】
2009076252.tif 000004
【図３】
2009076252.tif 000005